(57)【特許請求の範囲】
【請求項１】
複数の横向き姿勢の支管を、上下方向に分散させた並列配置状態で縦姿勢の幹管に接続し、これら支管の夫々に一組の弁装置及び弁装置監視用のセンサを装備してある配管集合装置であって、
上下に隣り合う前記支管のうち上段の支管に装備する上段の前記一組の弁装置及びセンサは、下段の支管に装備する下段の前記一組の弁装置及びセンサの直上方位置から水平方向に退避させた配置で、且つ、組になる前記弁装置と前記センサとの相対的な位置関係は維持したままで、前記上段の支管に装備してある配管集合装置。
【請求項２】
複数の前記支管は、互いに平行な姿勢で鉛直方向に並べた並列配置状態で前記幹管に接続し、
上段の前記一組の弁装置及びセンサは、下段の前記一組の弁装置及びセンサの直上方位置から支管長手方向に退避させた配置で前記上段の支管に装備してある請求項１記載の配管集合装置。
【請求項３】
前記センサ夫々の検出情報を個別に処理する個別監視器を、前記センサの夫々に対して各別に連結してある請求項１又は２記載の配管集合装置。
【請求項４】
前記センサ夫々の検出情報を統括して処理する共通監視器を設けてある請求項１又は２記載の配管集合装置。
【請求項５】
前記個別監視器又は前記共通監視器には、前記センサの検出情報を中央監視装置に対して無線送信する送信部、又は、前記センサの検出情報に基づいて前記弁装置の機能状態を分析する分析部を設けてある請求項３又は４記載の配管集合装置。
【請求項６】
互いに背反する向きに開口する入口側及び出口側の支管接続口を形成した蒸気トラップ又は開閉弁を、前記弁装置として前記支管に装備し、
前記センサは、前記蒸気トラップ又は前記開閉弁に取り付けてある請求項１〜５のいずれか１項に記載の配管集合装置。
【請求項７】
互いに背反する向きに開口する入口側及び出口側の支管接続口を形成した接続ブロックに、この接続ブロックに形成した入口側及び出口側の内部流路を通じて前記入口側及び出口側の支管接続口に連通する蒸気トラップを連結し、
これら接続ブロックと蒸気トラップとの連結ユニットを、前記弁装置として前記支管に装備し、
前記センサは、前記接続ブロックに取り付けてある請求項１〜５のいずれか１項に記載の配管集合装置。
【請求項８】
前記接続ブロックにおける入口側又は出口側の前記内部流路を開閉する開閉弁を前記接続ブロックに設け、
前記接続ブロックに取り付けた前記センサの検出情報に基づいて、前記蒸気トラップの機能状態と前記開閉弁の機能状態との両方を分析する分析部を設けてある請求項７記載の配管集合装置。
【請求項９】
前記弁装置は、前記支管に対して直交する前後向き軸芯周りでの回転により上下反転させて前記入口側支管接続口の位置と前記出口側支管接続口の位置とを左右入れ換えた姿勢で前記支管に装備することが可能な構成にし、
前記センサを挿入して取り付けるセンサ取付部として、前記弁装置の上面部に上面側センサ取付部を形成するとともに、前記弁装置の下面部に下面側センサ取付部を形成し、
前記上下反転を行わずに前記支管に装備した前記弁装置については、前記センサを前記上面側センサ取付部に取り付け、
前記上下反転を行って前記支管に装備した前記弁装置については、前記センサを前記下面側センサ取付部に取り付けてある請求項６〜８のいずれか１項に記載の配管集合装置。
【請求項１０】
前記上下反転を行わずに前記支管に装備した前記弁装置については、前記弁装置の内部を大気開放するブローダウン弁を前記下面側センサ取付部に取り付け、
前記上下反転を行って前記支管に装備した前記弁装置については、前記ブローダウン弁を前記上面側センサ取付部に取り付けてある請求項９記載の配管集合装置。
【請求項１１】
前記幹管には、複数の前記支管を各別に接続する複数の支管連結口を形成するとともに、これら支管連結口を各別に開閉する仕切弁の取付座を形成してある請求項１〜１０のいずれか１項に記載の配管集合装置。
【発明の詳細な説明】
【技術分野】
【０００１】
本発明は配管集合装置に関し、詳しくは、
複数の横向き姿勢の支管を、上下方向に分散させた並列配置状態で縦姿勢の幹管に接続し、これら支管の夫々に蒸気トラップや開閉弁などの弁装置及び弁装置監視用のセンサを装備してある配管集合装置に関する。
【背景技術】
【０００２】
従来、この種の配管集合装置では、特許文献１（図１８参照）に見られるように、上下に隣り合う支管１のうち上段の支管１に装備する上段のセンサ６（ここでは、上段の蒸気トラップ４に取り付けるセンサ６）を、下段の支管１に装備する下段のセンサ６（下段の蒸気トラップ４に取り付けるセンサ６）の直上方位置に配置していた。
【先行技術文献】
【特許文献】
【０００３】
【特許文献１】特開２０１１−６０２６９号公報
【発明の概要】
【発明が解決しようとする課題】
【０００４】
しかし、上記の従来装置では、各センサ６の取り付けや、それらセンサ６に対する信号線の接続などにおいて、上下のセンサ６が互いに支障とならないようにするには、支管１どうしの上下間隔を大きくしなければならず、そのことで装置の全体が高さ方向において大型化する問題があった。
【０００５】
この実情に鑑み、本発明の主たる課題は、合理的な配置形態を採ることで上記問題を解
消する点にある。
【課題を解決するための手段】
【０００６】
本開示に係る配管集合装置は、
複数の横向き姿勢の支管を、上下方向に分散させた並列配置状態で縦姿勢の幹管に接続し、これら支管の夫々に一組の弁装置及び弁装置監視用のセンサを装備してある配管集合装置であって、
上下に隣り合う前記支管のうち上段の支管に装備する上段の前記一組の弁装置及びセンサは、下段の支管に装備する下段の前記一組の弁装置及びセンサの直上方位置から水平方向に退避させた配置で、且つ、組になる前記弁装置と前記センサとの相対的な位置関係は維持したままで、前記上段の支管に装備してある。
【０００７】
この構成によれば、上段の弁装置及びセンサを下段の弁装置及びセンサの直上方位置から水平方向に退避させることで、それらセンサの装備やそれらセンサに対する信号線の接続などにおいて上下のセンサが互いに支障となることを回避するから、その分、支管どうしの上下間隔を小さくすることができ、これにより、装置の全体を高さ方向において小型化することができる。
【０００８】
以下、本開示に係る蒸気トラップ監視システムの好適な態様について説明する。但し、以下に記載する好適な態様例によって、本開示の範囲が限定される訳ではない。
【０００９】
一つの態様として、複数の前記支管は、互いに平行な姿勢で鉛直方向に並べた並列配置状態で前記幹管に接続し、上段の前記一組の弁装置及びセンサは、下段の前記一組の弁装置及びセンサの直上方位置から支管長手方向に退避させた配置で前記上段の支管に装備してあると好適である。
【００１０】
前記した配管集合装置の実施において、上段の弁装置及びセンサを下段の弁装置及びセンサの直上方位置から水平方向に退避させた配置で上段の支管に装備するには、図１６や図１７に示すように、上段の支管１そのものを、後方側への平行移動や幹管２周りでの回転移動などにより下段の支管１の直上方位置から水平方向に退避させた配置で、幹管２に接続することも考えられる。これに対し、この構成によれば、上段の支管そのものを退避させる上記の配置形態に比べ、複数の支管を互いに平行な姿勢で鉛直方向に並べて幹管に接続するから、装置の全体を前後の厚み方向（即ち、支管の並置列を含む鉛直面に対して垂直な方向）において小型化することができ、これにより、装置の設置性を高めることができる。
【００１１】
一つの態様として、前記センサ夫々の検出情報を個別に処理する個別監視器を、前記センサの夫々に対して各別に連結してあると好適である。
【００１２】
この構成によれば、センサの夫々に対して各別の個別監視器を連結するから、それらセンサの夫々に接続する信号線を、各支管に対して迂回させる状態で長尺に引き回すことを回避することができ、これにより、装置の製作を容易にすることができる。
【００１３】
一つの態様として、前記センサ夫々の検出情報を統括して処理する共通監視器を設けてあると好適である。
【００１４】
この構成によれば、センサ夫々の検出情報を共通監視器により統括して処理するから、センサ夫々の検出情報を個別に処理する複数の監視器を設けるのに比べ、装置コストを安価にすることができる。
【００１５】
一つの態様として、前記個別監視器又は前記共通監視器には、前記センサの検出情報を中央監視装置に対して無線送信する送信部、又は、前記センサの検出情報に基づいて前記弁装置の機能状態を分析する分析部を設けてあると好適である。
【００１６】
この構成によれば、個別監視器又は共通監視器に送信部を設ける場合、その送信部により送信されるセンサ検出情報に基づいて中央監視装置で弁装置夫々の機能状態を監視することができる。
【００１７】
また、個別監視器又は共通監視器に分析部を設ける場合、センサ検出情報に基づいて弁装置夫々の機能状態を分析することを個別監視器又は共通監視器において行うことができる。
【００１８】
なお、個別監視器又は共通監視器に分析部を設ける場合、その分析部による分析結果を周囲に報知する報知部や、分析部による分析結果を中央監視装置に送信する送信部を個別監視器又は共通監視器に設けるのが望ましい。
【００１９】
一つの態様として、互いに背反する向きに開口する入口側及び出口側の支管接続口を形成した蒸気トラップ又は開閉弁を、前記弁装置として前記支管に装備し、前記センサは、前記蒸気トラップ又は前記開閉弁に取り付けてあると好適である。
【００２０】
この構成によれば、センサを蒸気トラップや開閉弁から離れた支管部分などに取り付けるのに比べ、装置構造をシンプルにすることができる。
【００２１】
一つの態様として、互いに背反する向きに開口する入口側及び出口側の支管接続口を形成した接続ブロックに、この接続ブロックに形成した入口側及び出口側の内部流路を通じて前記入口側及び出口側の支管接続口に連通する蒸気トラップを連結し、これら接続ブロックと蒸気トラップとの連結ユニットを、前記弁装置として前記支管に装備し、前記センサは、前記接続ブロックに取り付けてあると好適である。
【００２２】
この構成によれば、センサを接続ブロックと蒸気トラップとの連結ユニットから離れた支管部分などに取り付けるのに比べ、装置構造をシンプルにすることができる。
【００２３】
また、この構成によれば、点検や補修のために蒸気トラップを取り外す場合、支管と接続ブロックとの接続や接続ブロックに対するセンサの取り付けは保ったままで、接続ブロックから蒸気トラップを取り外すことができ、この点で、点検補修などのメンテナンス性にも優れた装置にすることができる。
【００２４】
一つの態様として、前記接続ブロックにおける入口側又は出口側の前記内部流路を開閉する開閉弁を前記接続ブロックに設け、前記接続ブロックに取り付けた前記センサの検出情報に基づいて、前記蒸気トラップの機能状態と前記開閉弁の機能状態との両方を分析する分析部を設けてあると好適である。
【００２５】
この構成によれば、接続ブロックに取り付けたセンサの検出情報に基づいて蒸気トラップの機能状態と開閉弁の機能状態との両方を分析部により分析するから、蒸気トラップを監視するセンサと開閉弁を監視するセンサとを各別に設けるのに比べ、装置構造を一層シンプルにすることができ、また、装置コストも安価にすることができる。
【００２６】
一つの態様として、前記弁装置は、前記支管に対して直交する前後向き軸芯周りでの回転により上下反転させて前記入口側支管接続口の位置と前記出口側支管接続口の位置とを左右入れ換えた姿勢で前記支管に装備することが可能な構成にし、前記センサを挿入して取り付けるセンサ取付部として、前記弁装置の上面部に上面側センサ取付部を形成するとともに、前記弁装置の下面部に下面側センサ取付部を形成し、前記上下反転を行わずに前記支管に装備した前記弁装置については、前記センサを前記上面側センサ取付部に取り付け、前記上下反転を行って前記支管に装備した前記弁装置については、前記センサを前記下面側センサ取付部に取り付けてあると好適である。
【００２７】
この構成によれば、支管を縦姿勢の幹管の右側に配置するか、あるいは、左側に配置するかなどの違いによって、弁装置における入口側支管接続口の位置と出口側支管接続口の位置とを左右入れ換えることが必要となる場合に、弁装置を前後向き軸芯周りでの回転により上下反転させるだけで対応することができる。
【００２８】
また、上下反転を行わずに支管に装備した弁装置については、センサを上面側センサ取付部に取り付け、一方、上下反転を行って支管に装備した弁装置については、センサを下面側センサ取付部に取り付けるから、いずれにしても、弁装置の実質的な上面部にセンサを取り付けることができて、センサの取り付け形態を同じにすることができる。
【００２９】
したがって、入口側支管接続口の位置と出口側支管接続口の位置とが左右入れ換わった２種の弁装置の製作を不要にすることができて、製作コスト面で一層有利にすることができる。
【００３０】
一つの態様として、前記上下反転を行わずに前記支管に装備した前記弁装置については、前記弁装置の内部を大気開放するブローダウン弁を前記下面側センサ取付部に取り付け、前記上下反転を行って前記支管に装備した前記弁装置については、前記ブローダウン弁を前記上面側センサ取付部に取り付けてあると好適である。
【００３１】
この構成によれば、上面側センサ取付部と下面側センサ取付部とのうち、弁装置の実質的な下面部に位置してセンサが取り付けられない方のセンサ取付部を利用してブローダウン弁を取り付けるから、上面側センサ取付部や下面側センサ取付部とは別に弁装置の上面部及び下面部の夫々に専用のブローダウン弁取付部を形成することを不要にすることができ、これにより、弁装置の構造をシンプルにすることができ、また、装置コストも一層安価にすることができる。
【００３２】
一つの態様として、前記幹管には、複数の前記支管を各別に接続する複数の支管連結口を形成するとともに、これら支管連結口を各別に開閉する仕切弁の取付座を形成してあると好適である。
【００３３】
この構成によれば、図１０に示すように、幹管２を流体の集合ヘッダとして用いる場合に、各支管１から幹管２への流体の流入を、上記取付座２４に取り付けた仕切弁２５の開閉操作により個別に断続することができる。
【００３４】
また、図７に示すように、幹管２を流体の分配ヘッダとして用いる場合、幹管２から各支管１への流体の送出を、上記取付座２４に取り付けた仕切弁２５の開閉操作により個別に断続することができる。
【００３５】
そしてまた、図２に示すように上記取付座２４に仕切弁を取り付けずに、上記取付座２４における弁体挿入用の開口を蓋体２４ａにより閉塞すれば、幹管２を単純な集合ヘッダ又は分配ヘッダとして機能させることができる。
【００３６】
つまり、この構成によれば、装置の機能性や汎用性を高めることができる。
【図面の簡単な説明】
【００３７】
【図１】配管集合装置の斜視図
【図２】配管集合装置の正面図
【図３】配管集合装置の側面図
【図４】配管集合装置の背面図
【図５】弁装置の外観図
【図６】弁装置の縦断面図
【図７】幹管の分配ヘッダとして使用例を示す斜視図
【図８】別実施形態を示す斜視図
【図９】別実施形態を示す斜視図
【図１０】別実施形態を示す正面図
【図１１】別実施形態を示す斜視部
【図１２】別実施形態を示す正面図
【図１３】別実施形態を示す平面図
【図１４】別実施形態を示す正面図
【図１５】別実施形態を示す正面図
【図１６】別実施形態を示す斜視図
【図１７】別実施形態を示す斜視図
【図１８】従来の配管集合装置を示す正面図
【発明を実施するための形態】
【００３８】
図１〜図４は配管集合装置の一例を示し、この配管集合装置では、複数の横向き姿勢の支管１を上下方向に分散させた並列配置状態にして、かつ、縦姿勢の幹管２に対して左右対称に配置した状態で、それら支管１夫々の一端を配管ヘッダとしての幹管２に接続してある。
【００３９】
幹管２は鉛直姿勢（ないしは、ほぼ鉛直姿勢）にしてあり、支管１は互いに平行な姿勢で鉛直方向（ないしは、ほぼ鉛直方向）に並べてある。
【００４０】
支管１夫々の他端（即ち、幹管２に対する接続側端部とは反対側の端部）は、蒸気使用装置の復水排出路など、蒸気の混入がある復水を導く管路３に接続してあり、支管１の夫々には、ディスク式の蒸気トラップ４を備える弁装置５、及び、その弁装置５を監視するセンサ６を装備してある。
【００４１】
つまり、この配管集合装置では、各支管１に流入する蒸気と復水との混合流体のうち蒸気は蒸気トラップ４により通過を阻止して復水のみを幹管２に集合させ、これら幹管２に集合させた復水を幹管２の上端部から返送路７を通じてボイラなどに返送する。
【００４２】
幹管２の下端部にはブロー弁８を接続してあり、メンテナンス時など必要時には、このブロー弁８を開くことで幹管２の内部を大気開放する。
【００４３】
幹管２は床に立脚させた支柱９に連結してあり、支管１や弁装置５を含む装置全体を支柱９により支持してある。
【００４４】
図５，図６にも示すように、支管１に装備する弁装置５は、互いに同芯状で背反する向きに開口する入口側及び出口側の支管接続口１０ａ，１０ｂを形成した接続ブロック１０を備え、接続ブロック１０の後面部には、蒸気トラップ４を取り付けるトラップ取付座１１を形成してある。
【００４５】
トラップ取付座１１には、接続ブロック１０の内部に形成した入口側及び出口側の内部流路１２，１３夫々のトラップ接続口１２ａ，１３ａを開口させてあり、トラップ取付座１１に取り付けた蒸気トラップ４は、入口側の内部流路１２を通じて接続ブロック１０における入口側の支管接続口１０ａに連通し、また、出口側の内部流路１３を通じて接続ブロック１０における出口側の支管接続口１０ｂに連通する。
【００４６】
即ち、支管１に装備する弁装置５は、支管１に介装する接続ブロック１０と、その接続ブロック１０の後面部に取り付ける蒸気トラップ４との連結ユニットからなる。
【００４７】
支管１に流入した蒸気と復水との混合流体は接続ブロック１０における入口側の支管接続口１０ａから入口側の内部流路１２を通じて蒸気トラップ４に流入し、蒸気トラップ４で蒸気と分離された復水は、蒸気トラップ４から接続ブロック１０における出口側の内部流路１３及び出口側の支管接続口１０ｂを通じて支管１の下流側部分（即ち、幹管２に対する接続側部分）に送出される。
【００４８】
入口側内部流路１２のトラップ接続口１２ａは、トラップ取付座１１の中心に開口させてあり、これに対し、出口側内部流路１３のトラップ接続口１３ａは、入口側内部流路１２のトラップ接続口１２ａを中心とする環状の溝構造にしてトラップ取付座１１に開口させてある。
【００４９】
即ち、蒸気トラップ４は、トラップ取付座１１の中心を通る前後向き軸芯ｐ周りで１８０°回転させて上下反転させた姿勢でも、入口側内部流路１２及び出口側内部流路１３夫々のトラップ接続口１２ａ，１３ａに対し適切に連通させた状態でトラップ取付座１１に取り付けることができる。
【００５０】
接続ブロック１０には、入口側の内部流路１２を開閉する入口側の開閉弁１４、及び、出口側の内部流路１３を開閉する出口側の開閉弁１５の夫々を、接続ブロック１０に一体化した状態で設けてあり、これら入口側及び出口側の開閉弁１４，１５夫々の操作部１４ａ，１５ａは、前方側ほど互いに離れる平面視Ｖ字状の相互配置にして水平姿勢で斜め前方向きに接続ブロック１０の前面部から突出させてある。
【００５１】
また、接続ブロック１０にはストレーナ１６を一体化した状態で設けてあり、このストレーナ１６は、入口側の内部流路１２において入口側開閉弁１４とトラップ接続口１２ａとの間に配置してある。
【００５２】
このストレーナ１６のスクリーン挿脱部１６ａは、入口側開閉弁１４と出口側開閉弁１５との間において接続ブロック１０の前面部に設けてある。
【００５３】
接続ブロック１０の上面部には、入口側及び出口側の兼用取付口１７ａ，１７ｂを形成してあり、また、接続ブロック１０の下面部には、上面側の兼用取付口１７ａ，１７ｂと上下に対称な配置にして同じく入口側及び出口側の兼用取付口１８ａ，１８ｂを形成してある。
【００５４】
接続ブロック１０と蒸気トラップ４との連結ユニットからなる弁装置５は、支管１に対して直交する前後向き軸芯ｐ周りでの回転により上下反転させた姿勢でも支管１に取り付けることができ、図２において幹管２の左側（向かって左側）に配置する弁装置５を基準とすれば、幹管２の右側（向かって右側）に配置する弁装置５は、前後向き軸芯ｐ周りでの回転により上下反転させて、入口側支管接続口１０ａの位置と出口側支管接続口１０ｂの位置とを左右入れ換えた状態で支管１に装備してある。
【００５５】
即ち、右側配置の弁装置５については、このように前後向き軸芯ｐ周りでの回転により上下反転させた状態で支管１に装備することで、入口側開閉弁１４の操作部１４ａ、出口側開閉弁１５の操作部１５ａ、並びに、スクリーン挿脱部１６ａの夫々を左側配置の弁装置５と同様に前方側へ突出させる形態にしながら、ストレーナ１６における流体通過向きを右側配置の支管１における流体通過向きに一致させるようにしてある。
【００５６】
また、上下反転させて支管１に装備する右側配置の弁装置５については、蒸気トラップ４も前後向き軸芯ｐ周りでの回転により上下反転させた状態で接続ブロック１０のトラップ取付座１１に取り付けてあり、これにより、左側配置の弁装置５及び右側配置の弁装置５のいずれについても、蒸気トラップ４は図３に示すようにトラップ取付座１１に対する連結部４ｂの上側に本体部４ａが位置する適正な取り付け姿勢にして接続ブロック１０に連結してある。
【００５７】
さらに、上下反転させていない左側配置の弁装置５については、接続ブロック１０の上面部における入口側の兼用取付口１７ａをセンサ取付部として、その入口側の兼用取付口１７ａにセンサ取付用の鞘管１９を上方から挿入する形態で取り付けた上で、そのセンサ取付用の鞘管１９に対してセンサ６をやはり上方から挿入する形態で取り付け、一方、接続ブロック１０の上面部における出口側の兼用取付口１７ｂについてはプラグなどにより閉塞してある。
【００５８】
また、上下反転させていない左側配置の弁装置５については、接続ブロック１０の下面部における入口側及び出口側の兼用取付口１８ａ，１８ｂをブローダウン弁の取付部として、それら入口側及び出口側の兼用取付口１８ａ，１８ｂに、入口側及び出口側の内部流路１２，１３を必要時に大気開放する入口側及び出口側のブローダウン弁２０ａ，２０ｂを取り付けてある。
【００５９】
これに対し、前後向き軸芯ｐ周りでの回転により上下反転させた右側配置の弁装置５については、実質的な上面部となる接続ブロック１０の下面部における入口側の兼用取付口１８ａをセンサ取付部として、その入口側の兼用取付口１８ａにセンサ取付用の鞘管１９を上方から挿入する形態で取り付けた上で、そのセンサ取付用の鞘管１９に対してセンサ６をやはり上方から挿入する形態で取り付け、一方、実質的な上面部となる接続ブロック１０の下面部における出口側の兼用取付口１８ｂについてはプラグなどにより閉塞してある。
【００６０】
また、前後向き軸芯ｐ周りでの回転により上下反転させた右側配置の弁装置５については、実質的な下面部となる接続ブロック１０の上面部における入口側及び出口側の兼用取付口１７ａ，１７ｂをブローダウン弁の取付部として、それら入口側及び出口側の兼用取付口１７ａ，１７ｂに、入口側及び出口側の内部流路１２，１３を必要時に大気開放する入口側及び出口側のブローダウン弁２０ａ，２０ｂを取り付けてある。
【００６１】
要するに、左側配置の弁装置５と右側配置の弁装置５とは同じ装備形態を採りながら互いに兼用できるようにしてあり、これにより、右側配置仕様の弁装置５と左側配置仕様の弁装置５とを各別に製作するのに比べ、装置コストを安価にすることができる。
【００６２】
互いに平行な横向き姿勢で鉛直方向に並ぶ全ての支管１について、上下に隣り合う支管１のうち上段の支管１に装備する上段の弁装置５は、下段の支管１に装備する下段の弁装置５に対して幹管２寄りに位置をズラせた配置で支管１に装備し、これにより、上段の支管１に装備するセンサ６（即ち、上段弁装置５の実質的な上面部に取り付けるセンサ６）５は、下段の支管１に装備する下段のセンサ６（即ち、下段弁装置５の実質的な上面部に取り付けるセンサ６）の直上方位置から支管長手方向において幹管２寄りに退避させた配置で上段の支管１に装備してある。
【００６３】
つまり、左側配置の弁装置５に取り付けるセンサ６の縦列、及び、右側配置の弁装置５に取り付けるセンサ６の縦列が夫々、正面視において二等辺三角形の各斜辺における一部を形成するようにしてあり、このように上段のセンサ６を下段のセンサ６の直上方位置から退避させた配置で上段の支管１に装備することで、それらセンサ６の取り付けや、それらセンサ６に対する配線接続を容易にし、その分、支管１どうしの上下間隔を小さくして装置の全体を高さ方向において小型化してある。
【００６４】
各弁装置５の接続ブロック１０に取り付けたセンサ６から上方に延び出る電線管２１は後ろ向きに屈曲させて上段の支管１との干渉を回避してあり、これら屈曲電線管２１夫々の後ろ向き端部には、電線管２１に挿通した信号線によりセンサ６に接続した個別監視器２２を取り付けてある。
【００６５】
これら個別監視器２２には、対応するセンサ６の検出情報を個別に中央監視装置（図示せず）に対してアンテナ２２ａから無線送信する送信部を設けてあり、中央監視装置では、複数の個別監視器２２から送信される各センサ６の検出情報に基づいて、分析部により各弁装置５の機能状態（本例では、各弁装置５における蒸気トラップ４の機能状態と入口側開閉弁１４の機能状態との両方）を分析する。
【００６６】
なお、対応するセンサ６の検出情報に基づいて弁装置５の機能状態を分析する分析部を個別監視器２２に設け、その分析部による分析結果を中央監視装置に無線送信する送信部や、その分析部による分析結果を個別監視器２２において周囲に報知する報知部などを個別監視器２２に設けてもよい。
【００６７】
幹管２は複数の単位幹管２ａを継ぎ足して形成してあり、各単位幹管２ａには、左右一対の支管連結口２３を所定間隔で上下方向に並べて形成するとともに、これら支管連結口２３を個別に開閉する仕切弁の取付座２４を形成してある。
【００６８】
なお、本例では、これら取付座２４に仕切弁は取り付けず、取付座２４に形成された弁体挿入口は蓋体２４ａにより閉塞してあるが、例えば図７に示すように、幹管２はその幹管２に接続した複数の支管１に対して流体を分配する分配ヘッダとしても用いることができ、このような場合、上記取付座２４に取り付けた仕切弁２５の開閉により各支管１に対する流体の分配を断続する。
【００６９】
〔別実施形態〕
次の本開示の別実施形態を列記する。
【００７０】
前述の実施形態では、各センサ６の検出情報を個別に処理する個別監視器２２を装備する例を示したが、これに代え、図８に示すように、各センサ６の検出情報を統括して処理する共通監視器２６を幹管２の上端部などの適当箇所に配備し、この共通監視器２６に、各センサ６の検出情報を中央監視装置に無線送信する送信部や、各センサ６の検出情報に基づいて各弁装置５の機能状態を分析する分析部などを設けるようにしてもよい。
【００７１】
各センサ６は共通監視器２６ないし個別監視器２２に対して有線接続する方式あるいは近距離無線通信などにより無線接続する方式のいずれを採用してもよい。
【００７２】
センサ６は弁装置５に取り付けるに限らず、図９に示すように、適当な取付具２７により支管１に対して直接に取り付ける形態で支管１に装備するようにしてもよい。
【００７３】
前述の実施形態では、弁装置５における接続ブロック１０に入口側及び出口側の開閉弁１４，１５を設ける例を示したが、これに代え、図１０に示すように、接続ブロック１０における出口側開閉弁１５を省略するのに対し、幹管２における仕切弁の取付座２４に仕切弁２５を取り付けるようにしてもよい。
【００７４】
上段のセンサ６を下段のセンサ６の直上方位置から水平方向に退避させた配置で上段の支管１に装備するのに、図１１〜図１３に示すに示すように、支管１における弁装置５及びセンサ６の取付部分１ａを斜め前方側に屈折させた支管１と、同取付部分１ａを斜め後方側に屈折させた支管１とを、交互配置する状態で上下方向に並べる配置形態を採用してもよい。
【００７５】
また、図１４に示すように、各段の支管１に装備する蒸気トラップ４は鉛直方向に一列に並べて配置するのに対し、下段の支管１ほど横方向への引き延ばし長さを大きくした状態で、各支管１の他端側部分１ｂ（幹管２に対する接続側部分とは反対側の部分）を、支管横向き部分１ｃに対し上向きに屈折させ、この構成において、各支管１に装備するセンサ６を、各支管１における上向き部分１ｂに近接させて支管横向き部分１ｃに配置するようにしてもよい。
【００７６】
なお、図１４に示す例では、各支管１に装備する入口側の開閉弁１４を支管上向き部分１ｂに配置してある。
【００７７】
また、図１５に示すように、下段の支管１ほど横方向への引き延ばし長さを大きくした状態で、各支管１の他端側部分１ｂ（幹管２に対する接続側部分とは反対側の部分）を、支管横向き部分１ｃに対し上向きに屈折させる構成において、各支管１の上向き部分１ｃに弁装置５及びセンサ６を配置するようにしてもよい。
【００７８】
さらに、上段のセンサ６を下段のセンサ６の直上方位置から水平方向に退避させた配置で上段の支管１に装備するのに、図１６に示すように、上段の支管１そのものを下段の支管１の直上方位置から後方へ平行移動させた位置に配置したり、図１７に示すように、上段の支管１そのものを下段の支管１の直上方位置から幹管２周りで回転移動させた位置に配置するなどしてもよい。
【００７９】
各支管１に装備する弁装置５は、接続ブロック１０と蒸気トラップ４との連結ユニットに限られるものではなく、入口側及び出口側の支管接続口を備える蒸気トラップや開閉弁などであってもよい。
【００８０】
なお、この場合にも、それら蒸気トラップや開閉弁を前後向き軸芯周りでの回転により上下反転させて支管１に介装できるようにするのに対し、それら蒸気トラップや開閉弁の上面部及び下面部には兼用取付口１７ａ，１８ａを設けるのが望ましい。
【００８１】
また、本開示による配管集合装置は、幹管２を複数の支管１に対する集合ヘッダとして使用する場合に限らず、幹管２を複数の支管１に対する分配ヘッダとして使用する場合にも適用することができる。
【産業上の利用可能性】
【００８２】
本開示による配管集合装置は、複数の支管を集合させて幹管に接続することが要求される各種分野において種々の用途に用いることができる。
【符号の説明】
【００８３】
１              支管
２              幹管
５              弁装置
６              センサ
２２            個別監視器
２６            共通監視器
１０ａ          入口側の支管接続口
１０ｂ          出口側の支管接続口
１０            接続ブロック
１２            入口側の内部通路
１３            出口側の内部通路
１４            入口側の開閉弁
１５            出口側の開閉弁
１７ａ          上面側センサ取付部
１８ａ          下面側センサ取付部
２０ａ          ブローダウン弁
２３            支管連結口
２５            仕切弁
２４            取付座
【図１】
0005923225.tif 000002
【図２】
0005923225.tif 000003
【図３】
0005923225.tif 000004
【図４】
0005923225.tif 000005
【図５】
0005923225.tif 000006
【図６】
0005923225.tif 000007
【図７】
0005923225.tif 000008
【図８】
0005923225.tif 000009
【図９】
0005923225.tif 000010
【図１０】
0005923225.tif 000011
【図１１】
0005923225.tif 000012
【図１２】
0005923225.tif 000013
【図１３】
0005923225.tif 000014
【図１４】
0005923225.tif 000015
【図１５】
0005923225.tif 000016
【図１６】
0005923225.tif 000017
【図１７】
0005923225.tif 000018
【図１８】
0005923225.tif 000019